(57)【要約】【課題】頻繁な交換作業を要する印刷紙を有しない吹矢の的を提供する。【解決手段】発泡体により形成した台部１１の表面には中心円層１３ａと該中心円層１３ａの外方に該中心円層と同心に配設された環帯層１３ｂ、１３ｃとを有する点数表示部１３を該台部と一体に備えさせたことを特徴とする吹矢の的。点数表示部１３は、台部１１の中心に配設された中心円層１３ａと、該中心円層１３ａの外方に該中心円層１３ａと同心に配設された環帯層１３ｂと、該環帯層１３ｂの外方に該中心円層１３ａと同心に配設された環帯層１３ｃとを備え、中心円層１３ａと環帯層１３ｂとの間に該中心円層１３ａと同心の環帯部１３ｄを有し、環帯層１３ｂと環帯層１３ｃとの間に該中心円層１３ａと同心の環帯部１３ｅを有している。【選択図】図１
0003151887.tif 000002
【実用新案登録請求の範囲】
【請求項１】
発泡体により形成した台部の表面には中心円層と該中心円層の外方に該中心円層と同心に配設された環帯層とを有する点数表示部を該台部と一体に備えさせたことを特徴とする吹矢の的。
【考案の詳細な説明】
【技術分野】
【０００１】
本考案は、吹矢の的に関するものである。
【背景技術】
【０００２】
吹矢は、針状の尖端を備えた矢を筒体内に装填し、該筒体の一端から吐息を吹き込んで該筒体の他端から該矢を飛ばすようにした飛び道具である。
【０００３】
吹矢は、狩猟用具ないし武器として古くから知られているが、最近ではスポーツ用具として普及している。すなわち、吹矢は、健全なスポーツ競技として多くの人々に愛好されている。
【０００４】
スポーツ競技としての吹矢においては、競技者は、標的たる的から一定の距離を置いた位置にて筒体を用いて複数本の矢を的に向かって放ち、該矢が的を射た命中精度により点数を競うのである。
【０００５】
このようなスポーツ競技たる吹矢における的としては、例えば実公平２−４１５１２号公報に示すように、中心円と該中心円の外方の同心環帯とを印刷してなる点数表示部としての印刷紙１を台部３の表面に貼付してなるものが知られており、該中心円と同心環帯とにはしばしば適宜の色が施されている。図３参照。
【先行技術文献】
【特許文献】
【０００６】
【特許文献１】実公平２−４１５１２号公報
【考案の概要】
【考案が解決しようとする課題】
【０００７】
しかるに、矢は針状の尖端が的に突き刺さるため、上記従来の的においては、台部の表面に貼付された印刷紙には矢により多数の穴が開き、該印刷紙は破れ、台部に対する位置がずれる。したがって、印刷紙は短時間で使用不能となり、頻繁に新しいものと交換しなければならない。このような印刷紙の交換作業は、面倒であり、スポーツ競技たる吹矢の進行を中断させることになる。
【０００８】
このような状況に鑑み、本考案は、頻繁な交換作業を要する印刷紙を有しない吹矢の的を提供しようとしてなされたものである。
【課題を解決するための手段】
【０００９】
上記課題を解決するために、本考案は、発泡体により形成した台部の表面には中心円層と該中心円層の外方に該中心円層と同心に配設された環帯層とを有する点数表示部を該台部と一体に備えさせたことを特徴とする吹矢の的を提供するものである。
【考案の効果】
【００１０】
本考案によれば、台部の表面には中心円層と該中心円層の外方に該中心円層と同心に配設された環帯層とを有する点数表示部を該台部と一体に備えさせているため、該点数表示部には矢により多数の穴が開くものの、該点数表示部が破れ、若しくは該台部に対する位置がずれることはない。したがって、本考案による吹矢の的は、短時間で使用不能となるおそれがなく、長時間にわたって連続的に使用することができる。また、本考案による的の台部は、発泡体により形成されているため、軽量であり、安価に提供することができる。
【図面の簡単な説明】
【００１１】
【図１】図１は、本考案による吹矢の的の一例を示す斜視図である。
【図２】図２は、同上的の断面図である。
【図３】図３は、従来の的の断面図である。
【考案を実施するための形態】
【００１２】
符号１１に示すものは的の台部である。台部１１は、例えば、正方形、円形、菱形等の正面形状を備えている。
【００１３】
台部１１は発泡体により形成する。台部１１を形成する発泡体は、例えば、ポリエチレン系樹脂、ポリスチレン系樹脂、ポリウレタン系樹脂、ゴム類等を発泡させてなるものであるが、発泡体を構成する材料はこれらのものに限定されない。
【００１４】
台部１１の表面には、点数表示部１３を該台部１１と一体に備えさせる。点数表示部１３は、台部１１の片面にのみ備えさせてもよいが、台部１１の両面に備えさせてもよい。
【００１５】
点数表示部１３は、中心円層１３ａと該中心円層１３ａの外方に該中心円層１３ａと同心に配設された環帯層１３ｂ、１３ｃ・・・とを有する。
【００１６】
図示の事例においては、点数表示部１３は、台部１１の中心に配設された中心円層１３ａと、該中心円層１３ａの外方に該中心円層１３ａと同心に配設された環帯層１３ｂと、該環帯層１３ｂの外方に該中心円層１３ａと同心に配設された環帯層１３ｃとを備え、中心円層１３ａと環帯層１３ｂとの間に該中心円層１３ａと同心の環帯部１３ｄを有し、環帯層１３ｂと環帯層１３ｃとの間に該中心円層１３ａと同心の環帯部１３ｅを有している。
【００１７】
図示の事例においては、中心円層１３ａと環帯層１３ｂと環帯層１３ｃとがそれぞれ着色され、環帯部１３ｄと環帯部１３ｅとには台部１１の表面が露出している。符号１３ｆに示すものは、環帯層１３ｃの外側部である。
【００１８】
例えば、台部１１の表面は白色とし、中心円層１３ａは黒色、環帯層１３ｂは赤色、環帯層１３ｃは黒色とし、環帯部１３ｄと環帯部１３ｅとには台部１１の白色の表面が露出している。なお、外側部１３ｆには台部１１の表面の白色が露出している。
【００１９】
中心円層１３ａと環帯層１３ｂと環帯層１３ｃは、例えばインキ又は塗料により形成する。中心円層１３ａと環帯層１３ｂと環帯層１３ｃは、スクリーン印刷ないし転写の手法を用いて形成してもよい。
【００２０】
点数表示部１３は、矢が突き刺さった位置に応じて当該矢を放った競技者が獲得する点数を表示するものである。
【００２１】
一例として、矢が中心円層１３ａに突き刺さったときには最高点である１０点が与えられ、以下、環帯部１３ｄが７点、環帯層１３ｂが５点、環帯部１３ｅが３点、環帯層１３ｃが１点とし、矢が環帯層１３ｃの外側部１３ｆに突き刺さったとき及び矢が台部１１を外れたときには０点とする。
【００２２】
競技においては、例えば、各競技者が複数本の矢を放ち、各矢が点数表示部１３に矢が突き刺さった位置に応じて与えられた点数の合計値により勝敗を決する。
【００２３】
図１に示す事例においては、台部１１に吊り下げ紐１５を取り付け、該吊り下げ紐１５を壁面等に突設したフック１７に係止することにより、的を壁面等に取り付けるようにしている。なお、符号１９に示すものは、吊り下げ紐１５を台部１１に固定するための固定具である。
【符号の説明】
【００２４】
１  印刷紙
３  台部
１１  台部
１３  点数表示部
１３ａ  中心円層
１３ｂ  環帯層
１３ｃ  環帯層
１３ｄ  環帯部
１３ｅ  環帯部
１３ｆ  外側部
１５  吊り下げ紐
１７  フック
１９  固定具
【図１】
0003151887.tif 000003
【図２】
0003151887.tif 000004
【図３】
0003151887.tif 000005